(57)【要約】【課題】新たな機能を発揮することができるパレットを提供する。【解決手段】パレット本体１Ｂと、パレット本体１Ｂの側面に形成された差込口Ａ１に設けられるとともに、差込口Ａ１への進入方向Ｘ１に向けて変位自在に支持された太陽電池モジュール３０と、を備える。【選択図】図１
2019055798.tif 000002
【特許請求の範囲】
【請求項１】
パレット本体と、
前記パレット本体の側面に形成された差込口に設けられるとともに、前記差込口への進入方向に向けて変位自在に支持された太陽電池モジュールと、を備えることを特徴とするパレット。
【請求項２】
前記パレット本体は、上下方向に対向して配置された一対のデッキ部と、
前記一対のデッキ部の間に配置された複数の桁部と、を備え、
前記差込口は、互いに隣り合う前記桁部同士の間に形成され、
前記太陽電池モジュールは、前記一対のデッキ部のいずれか一方に取付けられていることを特徴とする請求項１に記載のパレット。
【請求項３】
前記太陽電池モジュールを、前記進入方向の反対側に向けて付勢する付勢部材を備えていることを特徴とする請求項１又は２に記載のパレット。
【請求項４】
前記パレット本体には、前記差込口を有する差込空間が形成され、
前記進入方向に向けて変位した前記太陽電池モジュールは、前記差込口から前記差込空間内に進入し、
前記差込空間の内面には、前記進入方向に向けて変位した前記太陽電池モジュールが収容される収容凹部が形成されていることを特徴とする請求項１から３のいずれか１項に記載のパレット。
【請求項５】
前記太陽電池モジュールは、屈曲自在なフィルム状をなしていることを特徴とする請求項１から４のいずれか１項に記載のパレット。
【請求項６】
前記太陽電池モジュールから供給される電力により稼働する電装部品を備えていることを特徴とする請求項１から５のいずれか１項に記載のパレット。
【請求項７】
前記電装部品は、位置情報発信装置であることを特徴とする請求項６に記載のパレット。
【請求項８】
前記太陽電池モジュールから供給される電力を蓄電する蓄電装置を備えていることを特徴とする請求項１から７のいずれか１項に記載のパレット。
【請求項９】
パレット本体の側面に形成された差込口に設けられるとともに、前記差込口への進入方向に向けて変位自在に支持されることを特徴とする太陽電池モジュール。
【発明の詳細な説明】
【技術分野】
【０００１】
本発明は、パレット、および太陽電池モジュールに関する。
【背景技術】
【０００２】
従来から、下記特許文献１に示されるようなパレットが知られている。
このようなパレットは、例えば倉庫等で用いられ、配送中の商品や、保管中の在庫品等の各種の荷が載置された状態で、倉庫内で一定期間保管される。
【先行技術文献】
【特許文献】
【０００３】
【特許文献１】特開２０１２−１１６５４６号公報
【発明の概要】
【発明が解決しようとする課題】
【０００４】
このようなパレットに新たな機能を付与することが求められていた。
【０００５】
本発明は、新たな機能を発揮することができるパレットを提供することを目的とする。
【課題を解決するための手段】
【０００６】
前記課題を解決するために、本発明は以下の手段を提案している。
本発明に係るパレットは、パレット本体と、前記パレット本体の側面に形成された差込口に設けられるとともに、前記差込口への進入方向に向けて変位自在に支持された太陽電池モジュールと、を備えることを特徴とする。
【０００７】
この発明によれば、パレットが太陽電池モジュールを備えているので、例えば太陽電池モジュールから供給される電力を用いて稼働する電装部品等をパレット本体に取付けることで、パレットが新たな機能を発揮することができる。
また一般にパレットは、フォークによる移動の便宜を考慮して、例えば他のパレット等により閉塞されることがないように、差込口が外部に向けて開口するように配置される。そして太陽電池モジュールが、パレットの差込口に設けられているので、太陽電池モジュールを用いて効率的に発電することができる。
【０００８】
また、太陽電池モジュールが、差込口の進入方向に向けて変位自在に支持されている。したがって、例えば差込口にフォークリフトのフォークを進入方向に進入させて、パレットを移動させる際に、太陽電池モジュールがフォークにより進入方向に押されて変位することが可能になる。これにより、フォークの差込口への進入を阻害することが無いとともに、太陽電池モジュールにフォークの先端部が衝突することで、太陽電池モジュール３０が損傷するのを防ぐことができる。
【０００９】
また、前記パレット本体は、上下方向に対向して配置された一対のデッキ部と、前記一対のデッキ部の間に配置された複数の桁部と、を備え、前記差込口は、互いに隣り合う前記桁部同士の間に形成され、前記太陽電池モジュールは、前記一対のデッキ部のいずれか一方に取付けられてもよい。
【００１０】
この場合には、太陽電池モジュールの取付位置に自由度を与えることで、太陽電池モジュールをデッキ部に取付ける作業を容易に行うことができる。
【００１１】
また、前記太陽電池モジュールを、前記進入方向の反対側に向けて付勢する付勢部材を備えてもよい。
【００１２】
この場合には、簡易な構成で、太陽電池モジュールを進入方向に向けて、確実に変位自在に支持することができる。
【００１３】
また、前記パレット本体には、前記差込口を有する差込空間が形成され、前記進入方向に向けて変位した前記太陽電池モジュールは、前記差込口から前記差込空間内に進入し、前記差込空間の内面には、前記進入方向に向けて変位した前記太陽電池モジュールが収容される収容凹部が形成されてもよい。
【００１４】
この場合には、パレット本体の差込空間の内面に、収容凹部が形成されているので、フォークリフトのフォークに押されて進入方向に向けて変位した太陽電池モジュールが、収容凹部に収容される。したがって、例えばフォークによりパレットを持ち上げる際に、太陽電池モジュールが差込空間の内面とフォークとにより挟まれにくくなり、太陽電池モジュールが損傷するのを防ぐことができる。
【００１５】
また、前記太陽電池モジュールは、屈曲自在なフィルム状をなしてもよい。
【００１６】
この場合には、太陽電池モジュールが屈曲自在なフィルム状をなしているので、太陽電池モジュールの進入方向の剛性を小さくすることが可能になる。したがって、太陽電池モジュールにフォークリフトのフォークが接触した際の衝撃により、太陽電池モジュールが損傷等するのを抑えることができる。
【００１７】
また、前記太陽電池モジュールから供給される電力により稼働する電装部品を備えてもよい。
【００１８】
この場合には、パレットが、電装部品が具備する機能を発揮することができる。
【００１９】
また、前記電装部品は、位置情報発信装置であってもよい。
【００２０】
この場合には、パレットが移動した場合であっても、パレットの位置を正確に把握することができる。これにより、例えばパレット上の荷の位置を管理しやすくなるとともに、パレット自体の紛失を抑えることができる。
【００２１】
また、前記太陽電池モジュールから供給される電力を蓄電する蓄電装置を備えてもよい。
【００２２】
この場合には、蓄電装置により太陽電池モジュールから供給された電力を蓄電することで、例えばパレットに取付けられた電装部品が稼働させたい時に、例えば昼夜を問わず必要に応じて電力を供給することができる。
【００２３】
また、本発明に係る太陽電池モジュールは、パレット本体の側面に形成された差込口に設けられるとともに、前記差込口への進入方向に向けて変位自在に支持されることを特徴とする。
【００２４】
この場合には、この太陽モジュールをパレット本体に取付けるとともに、例えば太陽電池モジュールから供給される電力を用いて稼働する電装部品等をパレット本体に取付けることで、パレットが新たな機能を発揮することができる。
【発明の効果】
【００２５】
本発明によれば、新たな機能を発揮することができる。
【図面の簡単な説明】
【００２６】
【図１】本発明の第１実施形態に係るパレットの斜視図である。
【図２】図１に示すパレットのＢ−Ｂ線矢視断面図である。
【図３】本発明の第２実施形態に係るパレットの縦断面図である。
【発明を実施するための形態】
【００２７】
（第１実施形態）
以下、図１および図２を参照し、本発明の第１実施形態に係るパレット１について説明する。
図１に示すように、パレット１は、パレット本体１Ｂを備えている。パレット本体１Ｂは、上下方向Ｚに対向して配置された一対のデッキ部１０と、一対のデッキ部１０の間に配置された複数の桁部２０と、を備えている。デッキ部１０は上面視で矩形状を呈する。図示の例では、デッキ部１０は上面視で略正方形をなしている。デッキ部１０は、荷が載置される載置面１１と、載置面１１と反対側を向く内面１２（図２参照）と、を有している。
【００２８】
デッキ部１０および複数の桁部２０は、例えば合成樹脂材料の射出成形等により一体に形成されている。なお、このような態様に限られず、デッキ部１０および複数の桁部２０は、別体により形成されてもよいし、例えば木材等の他の材料により形成されてもよい。また、デッキ部１０は複数のデッキボードにより構成されてもよい。図示の例では、パレット本体１Ｂは、桁部２０の上下方向の中央部で分割されて構成されている。
【００２９】
図１および図２に示すように、複数の桁部２０は、上面視におけるデッキ部１０の２辺に沿って互いに平行に延びるとともに、残り２辺に沿って間隔をあけて配置されている。互いに隣り合う桁部２０同士の間には、差込空間Ａが形成されている。差込空間Ａは、その両端部に差込口Ａ１を有している。
【００３０】
以下の説明において、差込空間Ａが延びる方向を延在方向Ｘといい、延在方向Ｘのうち、上面視でデッキ部１０の内側を向く方向（フォークリフトのフォークが、差込口Ａ１から差込空間Ａ内に進入する方向）を進入方向Ｘ１という。また、上面視で延在方向Ｘと直交する方向を直交方向Ｙという。
【００３１】
桁部２０は３つ配置され、そのうちの２つはデッキ部１０における直交方向Ｙの両端部に配置され、残りの１つはデッキ部１０における直交方向Ｙの中央部に配置されている。差込空間Ａは、互いに隣り合う桁部２０同士の間に２つ形成されている。差込空間Ａおよび桁部２０それぞれの上下方向Ｚの大きさは互いに同等となっている。
【００３２】
差込口Ａ１は、差込空間Ａにおける延在方向Ｘの両端部に位置し、デッキ部１０の外周縁部と、延在方向Ｘに同等の位置に位置している。すなわち、差込口Ａ１は、パレット本体１Ｂの側面に形成されている。
このパレット１を移動する際には、例えばフォークリフトのフォークを差込口Ａ１から差込空間Ａ内に進入させ、フォークを上昇させることで、パレット１を持ち上げる。
【００３３】
差込口Ａ１は、進入方向Ｘ１から見た正面視で上下方向Ｚよりも直交方向Ｙに長い矩形状を呈する。２つの差込口Ａ１それぞれの正面視での形状は互いに同等となっている。
桁部２０のうち、差込口Ａ１と直交方向Ｙに隣り合う部分には、フォークリフトによりパレット１が移動される際に、フォークリフトが押圧する押圧部２１が形成されている。
【００３４】
そして本実施形態では、パレット１は、差込口Ａ１に設けられるとともに、差込口Ａ１への進入方向Ｘ１に向けて変位自在に支持された太陽電池モジュール３０を備えている。
太陽電池モジュール３０は、一対のデッキ部１０のいずれか一方に取付けられている。図示の例では、太陽電池モジュール３０は、上方に位置するデッキ部１０に取付けられている。
【００３５】
太陽電池モジュール３０は、デッキ部１０の側縁部に、延在方向Ｘに取付けられている。なお、太陽電池モジュール３０は、デッキ部１０の内面１２における外周縁部に、上下方向Ｚに取付けられてもよい。
太陽電池モジュール３０は直交方向Ｙに間隔をあけて２つ配置されている。２つの太陽電池モジュール３０それぞれの大きさは互いに同等となっている。
【００３６】
太陽電池モジュール３０は、屈曲自在なフィルム状の太陽電池と、この太陽電池が配置されたフィルム状の薄膜部材と、を備え、差込口Ａ１を延在方向Ｘの外側から覆っている。このため、太陽電池モジュール３０は、差込口Ａ１から差込空間Ａ内に進入したフォークにより進入方向Ｘ１に向けて押されると、進入方向Ｘ１に向けて変形しながら変位する。そして、太陽電池モジュール３０は、差込口Ａ１から差込空間Ａ内に進入する。
【００３７】
太陽電池モジュール３０には、例えば色素増感型太陽電池、有機薄膜太陽電池、又はペロブスカイト構造を有する太陽電池等が配置されている。これにより、太陽電池をフィルム状に構成することができる。なお、これ以外の太陽電池を採用してもよい。太陽電池モジュール３０は正面視で矩形状を呈する。太陽電池モジュール３０における薄膜部材には、例えば後述するＧＰＳ発信器５０等の他の部品を配置してもよい。
【００３８】
太陽電池モジュール３０の直交方向Ｙの大きさは、上下方向Ｚの大きさよりも大きくなっている。太陽電池モジュール３０の直交方向Ｙの大きさは、差込口Ａ１の直交方向Ｙの大きさよりも小さくなっている。太陽電池モジュール３０の下端部の位置は、下方に位置するデッキ部１０の内面１２よりも上方に位置している。
図示の例では、太陽電池モジュール３０は、差込空間Ａにおける２つの差込口Ａ１のうち、片方の差込口Ａ１にのみ配置されている。なお、太陽電池モジュール３０を、差込空間Ａにおける２つの差込口Ａ１それぞれに配置してもよい。
【００３９】
また本実施形態では、図２に示すように、差込空間Ａの内面には、進入方向Ｘ１に向けて変位した太陽電池モジュール３０が収容される収容凹部１３が形成されている。収容凹部１３は、デッキ部１０の内面１２のうち、差込口Ａ１と進入方向Ｘ１に隣り合う部分に形成されている。収容凹部１３は、載置面１１側に向けて窪んでいる。
収容凹部１３は、デッキ部１０の内面１２のうち、それぞれの差込口Ａ１に対して各別に形成されている。収容凹部１３は、上下方向Ｚから見た収容凹部１３の平面視で、延在方向Ｘおよび直交方向Ｙの双方向に延びる矩形状を呈する。
【００４０】
収容凹部１３の上下方向Ｚの大きさは、太陽電池モジュール３０の延在方向Ｘの厚みよりも大きくなっている。収容凹部１３の直交方向Ｙの大きさは、太陽電池モジュール３０の延在方向Ｘの大きさよりも大きくなっている。収容凹部１３の延在方向Ｘの大きさは、太陽電池モジュール３０の上下方向Ｚの大きさよりも大きくなっている。
【００４１】
また本実施形態では、パレット１は、太陽電池モジュール３０から供給される電力により稼働する電装部品を備えている。図示の例では、電装部品として、ＧＰＳ発信器（位置情報発信装置）５０が採用されている。
ＧＰＳ発信器５０は、桁部２０における直交方向Ｙの外側を向く面に取付けられている。なお、このような態様に限られず、ＧＰＳ発信器５０は、パレット１のうち、載置面１１を除く任意の位置に取付けることができる。ＧＰＳ発信器５０は太陽電池モジュール３０と導通され、太陽電池モジュール３０から供給される電力により稼働する。ＧＰＳ発信器５０は、その位置情報を発信することで、パレット１の位置を時々刻々と通知する。
【００４２】
また、パレット１は太陽電池モジュール３０から供給される電力を蓄電する蓄電装置６０を備えている。蓄電装置６０は、複数の収容凹部１３のうち、延在方向Ｘにおける太陽電池モジュール３０と反対側に位置する部分に配置されている。なお、このような態様に限られず、蓄電装置６０はパレット１のうち、載置面１１を除く任意の位置に取付けることができる。
蓄電装置６０を用いることで、例えば電装部品がパレット１の差込口Ａ１の周囲を照らす照明装置等である場合に、昼間に太陽電池モジュール３０から供給された電力を蓄電装置６０が蓄電し、夜間に蓄電装置６０から照明装置に電力を供給することができる。
【００４３】
以上説明したように、本実施形態に係るパレット１によれば、パレット１が太陽電池モジュール３０を備えている。このため、例えば太陽電池モジュール３０から供給される電力を用いて稼働する電装部品等をパレット本体１Ｂに取付けることで、パレット１が新たな機能を発揮することができる。
【００４４】
また一般にパレット１は、フォークによる移動の便宜を考慮して、例えば他のパレット１等により閉塞されることがないように、差込口Ａ１が外部に向けて開口するように配置される。そして太陽電池モジュール３０が、パレット１の差込口Ａ１に設けられているので、太陽電池モジュール３０を用いて効率的に発電することができる。
【００４５】
また、太陽電池モジュール３０が、差込口Ａ１の進入方向Ｘ１に向けて変位自在に支持されている。したがって、例えば差込口Ａ１にフォークリフトのフォークを進入方向Ｘ１に進入させて、パレット１を移動させる際に、太陽電池モジュール３０がフォークにより進入方向Ｘ１に押されて変位することが可能になる。これにより、フォークの差込口への進入を阻害することが無いとともに、太陽電池モジュール３０にフォークの先端部が衝突することで、太陽電池モジュール３０が損傷するのを防ぐことができる。
ここで、仮に太陽電池モジュール３０が、パレット１のうち、差込口Ａ１以外の部分に設けられている場合には、太陽電池モジュール３０にフォークの先端部が衝突した際に、太陽電池モジュール３０が、進入方向Ｘ１に押されて変位することができない。このため、太陽電池モジュール３０が損傷するおそれがある。
【００４６】
また、太陽電池モジュール３０が、上下方向Ｚに対向して配置された一対のデッキ部１０のいずれか一方に取付けられている。このため、太陽電池モジュール３０の取付位置に自由度を与えることで、太陽電池モジュール３０をデッキ部１０に取付ける作業を容易に行うことができる。
【００４７】
また、パレット本体１Ｂの差込空間Ａの内面に、収容凹部１３が形成されているので、フォークリフトのフォークに押されて進入方向Ｘ１に変位した太陽電池モジュール３０が、収容凹部１３に収容される。したがって、例えばフォークによりパレット１を持ち上げる際に、太陽電池モジュール３０がデッキ部１０の内面１２とフォークとにより上下方向Ｚに挟まれにくくなり、太陽電池モジュール３０が損傷するのを防ぐことができる。
【００４８】
また、太陽電池モジュール３０が屈曲自在なフィルム状をなしているので、太陽電池モジュール３０の進入方向Ｘ１の剛性を小さくすることが可能になる。したがって、太陽電池モジュール３０にフォークリフトのフォークが接触した際の衝撃により、太陽電池モジュール３０が損傷等するのを抑えることができる。
【００４９】
また、前記太陽電池モジュール３０から供給される電力により稼働する電装部品を備えているので、パレット１が、電装部品が具備する機能を発揮することができる。
また、前記電装部品がＧＰＳ発信器５０であるので、パレット１がデッキ部１０に載置された荷とともに移動した場合であっても、パレット１の位置を正確に把握することができる。これにより、パレット上の荷の位置を管理しやすくなるとともに、パレット１自体の紛失を抑えることができる。
【００５０】
ここで、例えばパレット１を倉庫内で長期間保管しているような場合等に、パレット１の場所を把握するのに手間がかかることがある。
またパレット１は、倉庫の使用者が各自で購入せずに、パレット業者から一定の数量をまとめて借用することがある。このような場合等に、パレット１が荷の流通とともに移動することで、パレット１自体を紛失することが問題となっていた。このため、パレット１の位置を簡易かつ正確に把握する手段が求められていた。
【００５１】
また、パレット１が、太陽電池モジュール３０から供給される電力を蓄電する蓄電装置６０を備えている。このため、蓄電装置６０により太陽電池モジュール３０から供給された電力を蓄電することで、例えばパレット１に取付けられた電装部品が稼働させたい時に、例えば昼夜を問わず必要に応じて電力を供給することができる。
【００５２】
（第２実施形態）
次に、図３を参照し、本発明の第２実施形態に係るパレット２について説明する。なお、以下の各実施形態において、第１実施形態と同一の構成については同一の符号を付してその説明は省略し、異なる点についてのみ説明する。
本実施形態に係るパレット２では、太陽電池モジュール３０Ｂは、太陽電池と、この太陽電池が配置されたプレート部材と、を備えている。太陽電池モジュール３０Ｂは、下方に位置するデッキ部１０に取付けられている。図示の例では、太陽電池モジュール３０Ｂは、ヒンジ部７０を介して、下方に位置するデッキ部１０の内面１２における外周縁部に取付けられている。このため、太陽電池モジュール３０は、ヒンジ部７０回りに進入方向Ｘ１に向けて回動可能とされている。そして、差込空間Ａの内面には収容凹部１３が形成されていない。
太陽電池モジュール３０Ｂには、例えばシリコン系太陽電池等が採用されている。プレート部材は所定の厚みを備え、屈曲不能となっている。
【００５３】
また、本実施形態では、パレット２は、太陽電池モジュール３０Ｂを、進入方向Ｘ１の反対側に向けて付勢する付勢部材４０を備えている。図示の例では付勢部材４０はコイルバネである。付勢部材４０の一端部は、太陽電池モジュール３０Ｂにおける進入方向Ｘ１を向く内面に接続されている。付勢部材４０の他端部は、下方に位置するデッキ部１０の内面１２における外周縁部に接続されている。
【００５４】
太陽電池モジュール３０Ｂが進入方向Ｘ１に押されると、付勢部材４０が伸縮することで、太陽電池モジュール３０Ｂが進入方向Ｘ１に変位する。この際、太陽電池モジュール３０Ｂは変形することなく、ヒンジ部７０回りに回動しながら変位し、進入空間Ａ内に進入する。
なお、付勢部材４０としては、コイルバネ以外の構成であってもよい。また、パレット２における蓄電装置６０は、下方に位置するデッキ部１０の内面１２に配置されている。
【００５５】
以上説明したように、本実施形態に係るパレット２によれば、太陽電池モジュール３０Ｂを、進入方向Ｘ１の反対側に向けて付勢する付勢部材４０を備えている。このため、簡易な構成で、太陽電池モジュール３０Ｂを進入方向Ｘ１に向けて、確実に変位自在に支持することができる。
【００５６】
なお、本発明の技術的範囲は前記実施形態に限定されるものではなく、本発明の趣旨を逸脱しない範囲において種々の変更を加えることが可能である。
【００５７】
例えば、上記各実施形態においては、パレット本体１Ｂが、上下方向Ｚに分割されて構成され、デッキ部１０が、上下方向Ｚに対向して一対配置された構成を示したが、このような態様に限られない。例えばデッキ部１０は、複数の桁部２０の上方にのみ配置された構成であってもよい。
【００５８】
また、上記各実施形態においては、太陽電池モジュール３０、３０Ｂが、一対のデッキ部１０のいずれか一方に取付けられている構成を示したが、このような態様に限られない。太陽電池モジュール３０、３０Ｂは、一対のデッキ部１０それぞれに各別に取付けられてもよい。
【００５９】
また、上記各実施形態においては、太陽電池モジュール３０、３０Ｂが、デッキ部１０に取付けられている構成を示したが、このような態様に限られない。太陽電池モジュールは、例えば桁部２０に取付けられてもよい。
また、上記第１実施形態においては、デッキ部１０の内面１２に収容凹部１３が形成された構成を示したが、このような態様に限られない。収容凹部１３は、桁部２０に形成されてもよい。
【００６０】
また、上記各実施形態においては、パレット１が、ＧＰＳ発信器５０等の電装部品を備えている構成を示したが、このような態様に限られない。パレット１は電装部品を備えなくてもよい。
また、上記各実施形態においては、パレット１が蓄電装置６０を備えている構成を示したが、このような態様に限られない。パレット１は蓄電装置６０を備えなくてもよい。
【００６１】
その他、本発明の趣旨を逸脱しない範囲で、前記実施形態における構成要素を周知の構成要素に置き換えることは適宜可能であり、前記した変形例を適宜組み合わせてもよい。
【符号の説明】
【００６２】
１、２  パレット
１Ｂ  パレット本体
１０  デッキ部
１１  載置面
１２  内面
１３  収容凹部
２０  桁部
３０、３０Ｂ  太陽電池モジュール
４０  付勢部材
５０  ＧＰＳ発信器（位置情報発信装置）
６０  蓄電装置
Ａ１  差込口
Ｘ１  進入方向
【図１】
2019055798.tif 000003
【図２】
2019055798.tif 000004
【図３】
2019055798.tif 000005